(57)【特許請求の範囲】
【請求項１】
柱、天井大梁及び床大梁を有してなる複数の建物ユニットが互いに連結されることで構築され、
前記床大梁は、上下に延びるウェブとウェブの上下両端部に設けられた上フランジ及び下フランジとを有する形鋼からなり、
前記建物ユニットにおける対向する一対の前記床大梁の間には、それら各床大梁を連結する複数の床小梁が設けられており、
前記一対の床大梁のうち、建物外周部に沿って設けられた床大梁は外周側床大梁であり、
その外周側床大梁の前記上フランジの上には当該外周側床大梁に沿って根太が設けられ、
その根太の上面と前記各床小梁の上面とは同じ高さ位置に設定され、
前記根太及び前記各床小梁の上面に跨がって床面材が設けられているユニット式建物に適用され、
前記外周側床大梁の前記上フランジと前記床面材との間における前記根太よりも建物内部側に、当該外周側床大梁に沿って延びる梁上断熱材が配設されており、
前記梁上断熱材は、前記根太と前記床小梁の端部との間を通じて配設されていることを特徴とする建物の断熱構造。
【請求項２】
前記外周側床大梁は、前記各フランジを建物内部側に向けて配設されており、
前記梁上断熱材は、前記上フランジよりも前記建物内部側にはみ出したはみ出し部を有しており、
前記はみ出し部は、その一部が前記上フランジの上面よりも下方に延出して当該上フランジの先端を覆う覆い部となっていることを特徴とする請求項１に記載の建物の断熱構造。
【請求項３】
前記外周側床大梁において前記ウェブ及び前記各フランジにより囲まれた溝部には梁内断熱材が配設されており、
前記覆い部は、前記梁内断熱材と接触した状態で設けられていることを特徴とする請求項２に記載の建物の断熱構造。
【発明の詳細な説明】
【技術分野】
【０００１】
本発明は、建物の断熱構造に関する。
【背景技術】
【０００２】
住宅等の建物では、その外周部に沿って配設される梁が熱橋となるのを抑制すべく、当該梁に対して断熱処理が施されるのが一般である。このような断熱処理として、特許文献１には、溝形鋼からなる梁の内側（溝部）にグラスウールからなる梁内断熱材を配設した構成が開示されている。
【０００３】
しかしながら、上記のような構成では、梁の上下のフランジ部分が依然として熱橋となるおそれがある。特に、床梁の上フランジについてはその直上に居室が存在するため、上フランジが熱橋となって屋外の熱が居室に伝わるおそれがある。
【０００４】
そこで、特許文献１では、これに対する対策として、床梁の屋外側に当該床梁の上下方向全域に亘って断熱材を別途設けている。これによれば、床梁の上フランジを含めて屋外側から断熱材で覆うことができるため、上フランジが熱橋となるのを抑制でき、その結果居室の断熱性能の低下を抑制できる。
【先行技術文献】
【特許文献】
【０００５】
【特許文献１】特開２０１３−１２２１１６号公報
【発明の概要】
【発明が解決しようとする課題】
【０００６】
しかしながら、上記特許文献１の構成では、床梁の屋外側に断熱材を設ける関係でその周辺の構成が複雑なものとなっている。すなわち、床梁の屋外側には、通常、外壁面材が取り付けられたり、外壁面材との間に通気層が形成されたりするため、そのまま床梁に対して屋外側から断熱材を設けることが難しくなっている。そのため、特許文献１では、床梁の屋外側に断熱材を設けた部位においては、通常の外壁面材よりも屋外側の位置に外付けの外壁面材をさらに設け、それにより通気層を確保する等している。このように、特許文献１の構成では、断熱性能の低下を抑制する上でその構成が複雑なものとなっているため、その点で未だ改善の余地があると考えられる。
【０００７】
本発明は、上記事情に鑑みてなされたものであり、簡素な構成で断熱性能の低下を抑制することができる建物の断熱構造を提供することを主たる目的とするものである。
【課題を解決するための手段】
【０００８】
上記課題を解決すべく、第１の発明の建物の断熱構造は、上下に延びるウェブとウェブの上下両端部に設けられた上フランジ及び下フランジとを有する形鋼からなり、建物外周部に沿って設けられた床梁と、前記床梁の上フランジの上に当該床梁に沿って設けられた根太と、前記根太の上に設けられた床面材とを備える建物に適用され、前記床梁の上フランジと前記床面材との間における前記根太よりも建物内部側に、前記床梁に沿って延びる梁上断熱材が配設されていることを特徴とする。
【０００９】
本発明によれば、床梁の上フランジの上に根太を介して床面材が設けられている。そして、このような構成にあって、床梁の上フランジと床面材との間において根太よりも建物内部側に梁上断熱材が設けられている。この場合、梁上断熱材により上フランジを上方から覆うことができるため、屋外の熱が上フランジを介して床梁（上フランジ）上方に伝わるのを抑制することができる。つまり、屋外の熱が床面材上方の床上空間（居住空間）に伝わるのを抑制することができる。また、梁上断熱材は床梁上に配設されているため、床梁の屋外側に断熱材を設ける場合とは異なり、構成が複雑になるのを回避することができる。よって、この場合、比較的簡素な構成で断熱性能の低下を抑制することができる。
【００１０】
第２の発明の建物の断熱構造は、第１の発明において、前記床梁は、前記各フランジを建物内部側に向けて配設されており、前記梁上断熱材は、前記上フランジよりも前記建物内部側にはみ出したはみ出し部を有しており、前記はみ出し部は、その一部が前記上フランジの上面よりも下方に延出して当該上フランジの先端を覆う覆い部となっていることを特徴とする。
【００１１】
本発明によれば、梁上断熱材において上フランジよりも建物内部側にはみ出したはみ出し部の一部（覆い部）が上フランジよりも下方に延出してフランジ先端を覆っている。この場合、屋外の熱が上フランジを介してフランジ上方だけでなくフランジ先端側に伝わるのを抑制することができる。そのため、断熱性能の低下をより一層抑制することができる。
【００１２】
第３の発明の建物の断熱構造は、第２の発明において、前記床梁において前記ウェブ及び前記各フランジにより囲まれた溝部には梁内断熱材が配設されており、前記覆い部は、前記梁内断熱材と接触した状態で設けられていることを特徴とする。
【００１３】
本発明によれば、梁上断熱材の覆い部が床梁の溝部に配設された梁内断熱材と接触した状態で設けられているため、梁上断熱材と梁内断熱材とにより連続した断熱ラインを形成することができる。これにより、断熱性能の低下をさらに抑制することができる。
【００１４】
第４の発明の建物の断熱構造は、第１乃至第３のいずれかの発明において、柱、天井大梁及び床大梁を有してなる複数の建物ユニットが互いに連結されることで構築されたユニット式建物に適用され、前記床梁としての前記床大梁の上に前記根太が設けられ、その根太の上に前記床面材が設けられており、前記床大梁の前記上フランジと前記床面材との間において前記根太よりも前記建物内部側に前記梁上断熱材が配設されていることを特徴とする。
【００１５】
複数の建物ユニットが互いに連結されてなるユニット式建物では、各建物ユニットを予め製造工場にて製造することで、施工現場での工数低減を大いに図るようにしている。そこで本発明では、このようなユニット式建物において、建物ユニットの床大梁に本発明の断熱構造を適用している。つまり、床大梁の上フランジと床面材との間に梁上断熱材を配設するようにしている。例えばユニット式建物において、床大梁の屋外側に断熱材を設ける場合、施工現場において断熱材を設けることになると考えられるが、その場合、現場での工数低減を大いに図るようにしたユニット式建物の利点が損なわれるおそれがある。その点、上述の構成によれば、製造工場において断熱材（梁上断熱材）を建物ユニット内に組み込むことが可能であるため、現場での工数増大を伴うことなく断熱性能の低下を抑制することができる。
【００１６】
第５の発明の建物の断熱構造は、第４の発明において、対向する一対の前記床大梁の間には、それら各床大梁を連結する複数の床小梁が設けられており、前記床小梁が連結された前記床大梁の上に前記根太が設けられており、前記根太の上面と前記各床小梁の上面とは同じ高さ位置に設定され、それら前記根太及び前記各床小梁の上面に跨がって前記床面材が設けられており、前記床小梁が連結された前記床大梁に対して前記梁上断熱材が設けられており、前記梁上断熱材は、前記根太と前記床小梁の端部との間を通じて配設されていることを特徴とする。
【００１７】
本発明によれば、床小梁が連結されている床大梁に対して梁上断熱材が設けられており、その梁上断熱材が根太と床小梁の端部との間を通じて配設されている。この場合、屋外の熱が床大梁の上フランジを介して床小梁に伝わるのを抑制することができるため、断熱性能の低下をより一層抑制することができる。また、梁上断熱材を根太と床小梁との間で保持することが可能となるため、梁上断熱材を根太等に固定する作業を行うにあたって梁上断熱材をかかる保持状態で固定することが可能となる。このため、かかる固定作業の容易化を図ることが可能となる。
【図面の簡単な説明】
【００１８】
【図１】床部の構成を示す横断面図。
【図２】（ａ）が図１のＡ−Ａ線断面図であり、（ｂ）が図１のＢ−Ｂ線断面図である。
【図３】ユニット式建物の概要を示す斜視図。
【図４】建物ユニットを示す斜視図。
【発明を実施するための形態】
【００１９】
以下に、本発明を具体化した一実施の形態について図面を参照しつつ説明する。本実施形態の建物は複数の建物ユニットが互いに組み合わされて構築されるユニット式建物となっている。図３は、そのユニット式建物の概要を示す斜視図であり、図４は建物ユニットを示す斜視図である。
【００２０】
図３に示すように、住宅等の建物１０は、基礎１１の上に設けられた建物本体１２と、建物本体１２の上に設けられた屋根１３とを備えている。建物１０は二階建てとされ、一階部分１４と二階部分１５とを有している。建物本体１２は、複数の建物ユニット２０が互いに連結されることにより構成されている。
【００２１】
建物ユニット２０は、図４に示すように、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなり、天井大梁２２及び床大梁２３は断面コ字状の溝形鋼よりなる。
【００２２】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００２３】
次に、建物１０の二階部分１５における床部の構成について説明する。図１は、かかる床部の構成を示す横断面図である。図２は（ａ）が図１のＡ−Ａ線断面図であり、（ｂ）が図１のＢ−Ｂ線断面図である。
【００２４】
図１に示すように、建物１０において二階部分１５を構成する建物ユニット２０の床部には、その外周部に床大梁２３が設けられている。図１には、床大梁２３として互いに直交する２つの床大梁２３が示されているが、これらの床大梁２３はいずれも屋外に隣接配置されたものとなっている。つまり、これらの床大梁２３はいずれも建物１０の外周部に沿って配置されたものとなっている。
【００２５】
床大梁２３は、上述したように溝形鋼よりなる。すなわち、床大梁２３は、図２（ａ）及び（ｂ）に示すように、上下方向に延びるウェブ２３ａと、そのウェブ２３ａの上下両端部に設けられた上フランジ２３ｂ及び下フランジ２３ｃとを有する。床大梁２３においてウェブ２３ａ及び各フランジ２３ｂ，２３ｃにより囲まれた内側は溝部２３ｄとなっている。床大梁２３は、その溝部２３ｄを建物ユニット２０の水平方向内側に（換言すると、後述する床下空間３６側に）向けて配置されている。
【００２６】
建物ユニット２０の長辺部の対向する床大梁２３の間には、上述したように、複数の床小梁２６が架け渡されている。これらの床小梁２６は、長手方向の両端部において床大梁２３にブラケット３１を介して連結されている。ブラケット３１は、床大梁２３の溝部２３ｄにおいて床小梁２６を挟んだ両側に一対設けられている。ブラケット３１は鋼板により形成されており、床小梁２６の側面に固定された縦板部３１ａと、床大梁２３の各フランジ２３ｂ，２３ｃに固定された一対のフランジ部３１ｂとを有する。
【００２７】
床小梁２６は、その一部が床大梁２３よりも上方に突出した状態で当該床大梁２３に連結されている。そのため、床小梁２６の上面は床大梁２３（上フランジ２３ｂ）の上面よりも高い位置にある。また、床小梁２６は、その端部が床大梁２３（詳しくは上フランジ２３ｂ）との間に所定の隙間を有した状態で当該床大梁２３と連結されている。
【００２８】
床大梁２３（詳しくはその上フランジ２３ｂ）の上面には根太３３が設けられている。根太３３は木製の角材からなる。根太３３は床大梁２３に沿って配設され、当該床大梁２３に釘等により固定されている。根太３３の上面は各床小梁２６の上面と同じ高さ位置に設定されている。これら根太３３及び各床小梁２６の上面には、パーティクルボードからなる床面材２８が設けられている。床面材２８は、釘３４により根太３３を介して床大梁２３に固定されている。図示は省略するが、床面材２８の上面には床仕上げ材が敷設されており、その床仕上げ材により二階部分１５の居室２９の床面が形成されている。
【００２９】
床面材２８の下方には床下空間３６が形成されている。床下空間３６は、各床大梁２３により囲まれた内側空間となっている。この場合、床下空間３６は、一階部分１４と二階部分１５との間の階間部分に形成されているため、この床下空間３６を階間空間ということもできる。なお、床下空間３６は、二階部分１５の床面材２８と一階部分１４の天井面材２７との間に形成されている。
【００３０】
居室２９は、外壁部３７によって屋外と仕切られている。外壁部３７は、屋外に面した外壁面材３８と、居室２９に面した内壁面材３９とを有している。外壁面材３８は、その裏面側に設けられた下地フレーム４１を介して床大梁２３（詳しくはそのウェブ２３ａ）に固定されている。また、外壁面材３８と内壁面材３９との間にはグラスウールからなる壁内断熱材４２が設けられている。なお、図１では便宜上、外壁部３７の図示を省略している。
【００３１】
図２（ａ）及び（ｂ）に示されたその他の構成について説明すると、一階部分１４を構成する建物ユニット２０の天井部には、二階部分１５の床大梁２３の下方に天井大梁２２が設けられている。天井大梁２２は、上記床大梁２３に沿って配設され、その溝部２２ａを床下空間３６側に向けて配置されている。天井大梁２２には、そのウェブに下地フレーム４１を介して外壁面材３８が固定され、その外壁面材３８は二階部分１５の外壁面材３８と上下に並んで配置されている。また、上下に並ぶ各外壁面材３８の間の境界部には化粧胴差４３が設けられている。
【００３２】
次に、二階部分１５の床部周辺における断熱構造について説明する。
【００３３】
二階部分１５の床部では、床大梁２３の溝部２３ｄに梁内断熱材４５が設けられている。梁内断熱材４５は、繊維系断熱材としてのグラスウールよりなる。梁内断熱材４５は、床大梁２３に沿った長尺状に形成されており、床大梁２３の溝部２３ｄを埋めるようにして配設されている。
【００３４】
また、一階部分１４の天井部では、天井大梁２２の溝部２２ａに梁内断熱材４６が設けられている。梁内断熱材４６は、繊維系断熱材としてのグラスウールよりなる。梁内断熱材４６は、天井大梁２２に沿った長尺状に形成されており、天井大梁２２の溝部２２ａを埋めるようにして配設されている。
【００３５】
一階部分１４の天井大梁２２と二階部分１５の床大梁２３との間の隙間（梁間隙間）には梁間断熱材４７が設けられている。梁間断熱材４７は、繊維系断熱材としてのグラスウールよりなる。梁間断熱材４７は、上記各大梁２２，２３に沿った長尺状に形成されており、それら各大梁２２，２３の間に挟み込まれた状態で設けられている。
【００３６】
ここで、上述したように、二階部分１５の床大梁２３には梁内断熱材４５が設けられているが、梁内断熱材４５は床大梁２３の溝部２３ｄに配設されているため、この場合、例えば上フランジ２３ｂが熱橋となるおそれがある。そこで、本実施形態では、この点に鑑みて、かかる熱橋を抑制するための構成をさらに有している。以下においてはその構成について説明する。
【００３７】
図１に示すように、二階部分１５において建物外周部に沿って配置された各床大梁２３にはそれぞれ梁上断熱材４８，４９が設けられている。この場合、各床大梁２３のうち長辺側の床大梁２３（以下、この符号にＡを付す）には梁上断熱材４８が設けられ、短辺側の床大梁２３（以下、この符号にＢを付す）には梁上断熱材４９が設けられている。これら各梁上断熱材４８，４９はいずれも繊維系断熱材としてのグラスウールよりなる。各梁上断熱材４８，４９はいずれも長尺状に形成されており、梁上断熱材４８が床大梁２３Ａに沿って配設され、梁上断熱材４９が床大梁２３Ｂに沿って配設されている。
【００３８】
図１及び図２（ａ）に示すように、梁上断熱材４８は、根太３３よりも床下空間３６側において床大梁２３Ａの上フランジ２３ｂと床面材２８との間に挟み込まれた状態で設けられている。梁上断熱材４８は、かかる挟み込み状態において根太３３の側面にタッカーを用いて固定されている。
【００３９】
梁上断熱材４８は、上フランジ２３ｂと床面材２８との間に挟み込まれた挟み込み部４８ａと、上フランジ２３ｂよりも床下空間３６側（屋外側とは反対側）にはみ出したはみ出し部４８ｂとを有する。挟み込み部４８ａは、上フランジ２３ｂの上面と床面材２８の下面と根太３３の側面とにそれぞれ接触した状態で配設されている。この場合、この挟み込み部４８ａにより上フランジ２３ｂにおける根太３３よりも床下空間３６側が上方から覆われている。
【００４０】
はみ出し部４８ｂは、その一部が上フランジ２３ｂの上面よりも下方に延出して延出部４８ｃとなっている。この場合、その延出部４８ｃにより上フランジ２３ｂの先端が床下空間３６側から覆われている。また、延出部４８ｃは、梁内断熱材４５と接触した状態で配置されている。そのため、梁上断熱材４８と梁内断熱材４５とにより連続した断熱ラインが形成されている。なお、延出部４８ｃが覆い部に相当する。
【００４１】
図１及び図２（ｂ）に示すように、梁上断熱材４８は、床大梁２３Ａにおける床小梁２６との連結部位において、根太３３の側面と床小梁２６の端部との間を通じて配設されている。この場合、当該連結部位では、梁上断熱材４８が床大梁２３Ａの上フランジ２３ｂと根太３３と床面材２８と床小梁２６の端部とにより囲まれた内側領域を通じて配設されており、それによってその配設部分がこれら各部材２３ｂ，２６，２８，３３により圧縮された状態となっている。
【００４２】
梁上断熱材４９は、上記梁上断熱材４８と同様の構成で床大梁２３Ｂに配設されている。すなわち、梁上断熱材４９は、根太３３よりも床下空間３６側において床大梁２３Ｂの上フランジ２３ｂと床面材２８との間に挟み込まれた状態で設けられている。また、梁上断熱材４９は、かかる配設状態において根太３３の側面にタッカーを用いて固定されている。梁上断熱材４９は、その端部において梁上断熱材４８と接触しており、これによりこれら各梁上断熱材４８，４９により連続した断熱ラインが形成されている。
【００４３】
梁上断熱材４９は、上フランジ２３ｂと床面材２８との間に挟み込まれた挟み込み部４９ａと、上フランジ２３ｂよりも床下空間３６側にはみ出したはみ出し部４９ｂとを有している。はみ出し部４９ｂは、その一部が上フランジ２３ｂの上面よりも下方に延出した延出部（図示略）となっており、その延出部（覆い部に相当）により上フランジ２３ｂが覆われている。また、その延出部は、床大梁２３Ｂの溝部２３ｄに配設された梁内断熱材４５と接触している。
【００４４】
次に、上述した断熱構造を構築する際の作業手順について説明する。ここでは、特に、二階部分１５の建物ユニット２０の床部に断熱構造を構築する際の手順について説明する。
【００４５】
ユニット製造工場では、まず建物１０を構成する各建物ユニット２０を製造する。二階部分１５の建物ユニット２０の床部の製造に際しては、まず建物ユニット２０の各床大梁２３Ａ，２３Ｂ上に根太３３を設置し固定する作業を行う。その後、各床大梁２３Ａ，２３Ｂの溝部２３ｄに梁内断熱材４５を配設する作業を行う。
【００４６】
次に、梁上断熱材４８，４９を根太３３の側面にタッカーを用いて固定する作業を行う。この際、梁上断熱材４８については、まず当該断熱材４８を根太３３と床小梁２６の端部との間を通した状態で配設し、その配設状態で固定作業を行う。そのため、梁上断熱材４８については根太３３と床小梁２６との間で当該断熱材４８を保持した状態で固定作業を行うことができる。
【００４７】
次に、根太３３の上面と各床小梁２６の上面とに床面材２８を設置する作業を行う。この設置作業により、梁上断熱材４８，４９は、床大梁２３Ａ，２３Ｂの上フランジ２３ｂと床面材２８との間に挟み込まれる。そして、その挟み込まれた挟み込み部４８ａ，４９ａ以外の部分、すなわち上フランジ２３ｂから床下空間３６側にはみ出したはみ出し部４８ｂ，４９ｂについてはその一部が上フランジ２３ｂよりも下方に延出して延出部４８ｃとなる。
【００４８】
以上により、建物ユニット２０の床部における断熱構造が構築される。このように本実施形態では、床部の断熱構造がユニット製造工場において構築されるものとなっている。
【００４９】
各建物ユニット２０を製造後、それら各建物ユニット２０をトラック等で施工現場へ搬送する。施工現場では、各建物ユニット２０を所定位置に設置するとともに、設置した各建物ユニット２０を互いに連結する。これにより、建物１０が完成する。
【００５０】
以上、詳述した本実施形態の構成によれば、以下の優れた効果が得られる。
【００５１】
床大梁２３Ａ，２３Ｂの上フランジ２３ｂと床面材２８との間において根太３３よりも床下空間３６側（換言すると建物内部側）に梁上断熱材４８，４９を設けた。この場合、梁上断熱材４８，４９により上フランジ２３ｂを上方から覆うことができるため、屋外の熱が上フランジ２３ｂを介して床大梁２３Ａ，２３Ｂ（上フランジ２３ｂ）上方に伝わるのを抑制することができる。つまり、屋外の熱が床面材２８上方の居室２９に伝わるのを抑制することができる。また、梁上断熱材４８，４９は床大梁２３Ａ，２３Ｂ上に配設されているため、床大梁２３Ａ，２３Ｂの屋外側に断熱材を設ける場合とは異なり、構成が複雑になるのを回避することができる。よって、この場合、比較的簡素な構成で断熱性能の低下を抑制することができる。
【００５２】
梁上断熱材４８，４９に上フランジ２３ｂよりも床下空間３６側にはみ出したはみ出し部４８ｂを設けるとともに、そのはみ出し部４８ｂの一部を上フランジ２３ｂの上面よりも下方に延出させて延出部４８ｃとし、その延出部４８ｃにより上フランジ２３ｂの先端を覆うようにした。この場合、屋外の熱が上フランジ２３ｂを介してフランジ２３ｂ上方だけでなくフランジ２３ｂ先端側に伝わるのを抑制することができる。そのため、断熱性能の低下をより一層抑制することができる。
【００５３】
延出部４８ｃを床大梁２３Ａ，２３Ｂの溝部２３ｄに配設した梁内断熱材４５と接触させたため、梁上断熱材４８，４８と梁内断熱材４５とにより連続した断熱ラインを形成することができる。これにより、断熱性能の低下をさらに抑制することができる。
【００５４】
梁上断熱材４８，４９を用いた上記の断熱構造をユニット式建物を構成する建物ユニット２０の床大梁２３Ａ，２３Ｂに適用した。ユニット式建物において、床大梁２３の屋外側に断熱材を設ける場合、施工現場において断熱材を設けることになると考えられるが、その場合、現場での工数低減を大いに図るというユニット式建物の利点が損なわれるおそれがある。その点、上記の断熱構造を採用すれば、製造工場において断熱材（梁上断熱材４８，４９）を建物ユニット２０内に組み込むことが可能であるため、現場での工数増大を伴うことなく断熱性能の低下を抑制することができる。
【００５５】
床小梁２６が連結されている長辺側の床大梁２３Ａに梁上断熱材４８を設け、その梁上断熱材４８を根太３３と床小梁２６の端部との間を通じて配設した。この場合、屋外の熱が床大梁２３Ａの上フランジ２３ｂを介して床小梁２６に伝わるのを抑制することができるため、断熱性能の低下をより一層抑制することができる。また、梁上断熱材４８を根太３３と床小梁２６との間で保持することが可能となるため、梁上断熱材４８を根太３３に固定する際には梁上断熱材４８をかかる保持状態で固定することが可能となる。このため、かかる固定作業の容易化を図ることが可能となる。
【００５６】
本発明は上記実施形態に限らず、例えば次のように実施されてもよい。
【００５７】
・上記実施形態では、梁上断熱材４８，４９の延出部４８ｃを梁内断熱材４５と接触させて配置したが、梁内断熱材４５と接触させずに配置してもよい。また、梁上断熱材４８，４９に延出部４８ｃを設けないようにしてもよい。
【００５８】
・上記実施形態では、溝形鋼からなる床大梁２３（床梁に相当）に対して梁上断熱材４８，４９を設けたが、床梁がウェブと上下の各フランジとを有する他の形鋼からなる場合でも、その床梁に対して梁上断熱材を設けることができる。かかる形鋼としては、例えばＩ形鋼やＨ形鋼が挙げられる。
【００５９】
・上記実施形態では、梁上断熱材４８，４９として、グラスウール（繊維系断熱材）を用いたが、ロックウールやセルロースファイバー等、他の繊維系断熱材を用いてもよい。また、梁上断熱材４８，４９として、発泡ポリエチレン等の発泡系断熱材を用いることも可能である。
【００６０】
・上記実施形態では、二階部分１５の床大梁２３に梁上断熱材４８，４９を設けたが、一階部分１４の床大梁２３に梁上断熱材４８，４９を設けてもよい。
【００６１】
・上記実施形態では、ユニット式建物への適用例を説明したが、鉄骨軸組工法により構築される建物等、他の構造の建物にも本発明を適用できる。
【符号の説明】
【００６２】
１０…建物、２０…建物ユニット、２３Ａ，２３Ｂ…床梁としての床大梁、２３ａ…ウェブ、２３ｂ…上フランジ、２３ｃ…下フランジ、２３ｄ…溝部、２６…床小梁、２８…床面材、３３…根太、４５…梁内断熱材、４８…梁上断熱材、４８ｂ…はみ出し部、４８ｃ…覆い部としての延出部、４９…梁上断熱材、４９ｂ…はみ出し部。
【図１】
0006491534.tif 000002
【図２】
0006491534.tif 000003
【図３】
0006491534.tif 000004
【図４】
0006491534.tif 000005